(57)【特許請求の範囲】
【請求項１】
外壁が多角形状に形成され、内径が順次小径寸法となり、かつ小径端部が２個以上の段差となる傾斜孔を有するナット本体と、このナット本体の傾斜孔内にスライド移動可能で、かつ小径側の端部が段差部に当接し、大径側の端部に押圧突片が形成された２個以上のナットセグメントと、この２個以上のナットセグメントの内壁面に形成されたねじ部と、前記２個以上のナットセグメントの大径側の端部に設けられたワッシャーと、このワッシャーを介して前記２個以上のナットセグメントを常時小径側へ付勢するように、前記ナット本体内に取付けられた付勢スプリングと、この付勢スプリングを前記ナット本体内に保持するボルト挿入孔が形成された、前記ナット本体に取付けられたストッパー片とで構成され、前記ナット本体に形成された傾斜孔の段差部は、前記２個以上のナットセグメントがそれぞれ小径側の端部が前記段差部に当接した状態で、前記２個以上のナットセグメントのネジ部が連続するように形成されていることを特徴とする押し込みナット。
【請求項２】
ナット本体の２個以上の段差部の端部の内壁面には２個以上のナットセグメントの軸心方向のスライド移動をガイドするガイド片が形成されていることを特徴とする請求項１記載の押し込みナット。
【請求項３】
ナット本体の小径端部には締付け部材に係止できる座金が固定あるいは回転可能に取付けられていることを特徴とする請求項１、２いずれかに記載の押し込みナット。
【発明の詳細な説明】
【技術分野】
【０００１】
本発明はボルトを所定位置まで挿入した後、締付け方向に回転させることにより、ボルトのねじ部と螺合する軸方向にスライド移動する複数個のナットセグメントを備える押し込みナットに関する。
【背景技術】
【０００２】
従来のこの種の押し込みナットは外壁が多角形状に形成され、内壁に順次小径寸法となる傾斜孔を有するナット本体と、このナット本体の大径側の端部に形成されたボルト挿入孔を有するストッパー片と、前記ナット本体の内壁面の軸心方向に形成された、３個のガイド片と、これらのガイド片間に軸心方向にスライド移動可能に取付けられた内壁面にボルトと螺合されるねじ山が形成された３個のナットセグメントと、前記ナット本体の小径側の端部に固定された、前記３個のナットセグメントの抜け脱を防止するとともに、該ナット本体の外周部よりも外方に突出するフランジ状の取付片と、前記３個のナットセグメントを常時前記ナット本体の小径側に付勢するように、該ナット本体内に収納された付勢スプリングとで構成されている。
【０００３】
このように構成された押し込みナットは、ボルトに挿入して締付け方向に回転させることにより、ボルトのねじ部に３個のナットセグメントが螺合するが、常にねじ山1個分のクリアーがあったり、なかったりするという欠点があった。
【先行技術文献】
【特許文献】
【０００４】
【特許文献１】特許第４５３１５８５号公報
【特許文献２】特許第４２０１２１９号公報
【発明の概要】
【発明が解決しようとする課題】
【０００５】
本発明は以上のような従来の欠点に鑑み、ボルトを挿入しても、２個以上のナットセグメントがそれぞれ反ボルトの挿入方向に付勢することができ、締付け方向に回転させることにより、ボルトのねじ部に２個以上のナットセグメントのねじ部が確実に螺合し、その螺合がボルトのねじ部と連続するように２個以上のナットセグメントのねじ部が螺合させることができ、２個以上のナットセグメントが確実な螺合状態に保つことができるように作用させることができる締付け作業が容易で、取り扱いも容易な押し込みナットを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は外壁が多角形状に形成され、内径が順次小径寸法となり、かつ小径端部が２個以上の段差となる傾斜孔を有するナット本体と、このナット本体の傾斜孔内にスライド移動可能で、かつ小径側の端部が段差部に当接し、大径側の端部に押圧突片が形成された２個以上のナットセグメントと、この２個以上のナットセグメントの内壁面に最小径の段差部に当接するナットセグメントと連続するように形成されたねじ部と、前記２個以上のナットセグメントの大径側の端部に設けられたワッシャーと、このワッシャーを介して前記２個以上のナットセグメントを常時小径側へ付勢するように、前記ナット本体内に取付けられた付勢スプリングと、この付勢スプリングを前記ナット本体内に保持するボルト挿入孔が形成された、前記ナット本体に取付けられたストッパー片とで押し込みナットを構成している。
【発明の効果】
【０００８】
以上の説明から明らかなように、本発明にあっては次に列挙する効果が得られる。
（１）請求項１により、ナット本体をボルトに押し込んでも、２個以上のナットセグメントがそれぞれボルトのねじ部と螺合する方向に確実で均等に付勢することができるとともに、締付け方向に回転させることにより、ボルトのねじ部と２個以上のナットセグメントのねじ部とが連続するように螺合させることができる。
したがって、確実な螺合状態を保つことができる。  
（２）前記（１）によって、ナット本体の傾斜孔の小径端部に２個以上の段差が形成され、該段差に小径側のナットセグメントの端部を当接させるので、確実に２個以上のナットセグメントのねじ部が連続するように配置することができる。
したがって、ナット本体内への２個以上のナットセグメントの取付けが容易に行なうことができる。
（３）請求項２も前記（１）、（２）と同様な効果が得られる。
（４）請求項３も前記（１）、（２）と同様な効果が得られるとともに、締付け部材に係止できる座金によって、締付け部材が収縮しても、２個以上のナットセグメントが締付け方向に移動して、ナットがゆるむのを確実に防止することができる。
【図面の簡単な説明】
【０００９】
【図１】本発明を実施するための第１の形態の平面図。
【図２】図１の２−２線に沿う断面図。
【図３】本発明を実施するための第１の形態の段差部を示すナット本体の展開図。
【図４】本発明を実施するための第１の形態のナット本体の平面図。
【図５】図４の５−５線に沿う断面図。
【図６】本発明を実施するための第１の形態のナットセグメントの説明図。
【図７】本発明を実施するための第１の形態の付勢スプリングの説明図。
【図８】本発明を実施するための第１の形態のボルトを挿入した状態の説明図。
【図９】本発明を実施するための第１の形態の座金を締付け部材に固定した状態の説明図。
【図１０】本発明を実施するための第１の形態のナット本体を締付け方向に回転させて締付け固定した状態の説明図。
【図１１】本発明を実施するための第１の形態のボルトとナットセグメントの螺合状態を示す展開図。
【図１２】本発明を実施するための第２の形態の平面図。
【図１３】図１２の１３−１３線に沿う断面図。
【図１４】本発明を実施するための第２の形態の段差部を示す展開図。
【図１５】本発明を実施するための第３の形態の平面図。
【図１６】図１５の１６−１６線に沿う断面図。
【図１７】本発明を実施するための第３の形態の段差部を示す展開図。
【図１８】本発明を実施するための第４の形態の平面図。
【図１９】図１８の１９−１９線に沿う断面図。
【図２０】本発明を実施するための第４の形態の段差部を示す展開図。
【発明を実施するための形態】
【００１０】
以下、図面に示す本発明を実施するための形態により、本発明を詳細に説明する。
【００１１】
図１ないし図１１に示す本発明を実施するための第１の形態において、１は本発明のボルト２の所定位置まで押し込み移動させることができ、そこより締付け方向に回転させることにより、ボルト２の右ねじ部３と螺合させて締付け固定することができる押し込みナットで、この押し込みナット１は外壁４が多角形状、本発明の実施の形態では六角形状に形成され、内径が順次小径寸法となり、かつ小径端部が２個以上、本発明の実施の形態では３個の段差５、５Ａ、５Ｂとなる傾斜孔６を有するナット本体７と、このナット本体７の傾斜孔６内にスライド移動可能で、かつ小径側の端部８ａ、８ａ、８ａが前記段差５、５Ａ、５Ｂに当接し、大径側の端部８ｂ、８ｂ、８ｂの中央部に押圧突片１１、１１、１１が形成された３個のナットセグメント８、８、８と、この３個のナットセグメント８、８、８の内壁面に最小径の段差部５に当接するナットセグメント８と連続するように形成された右ねじ部９、９、９と、前記ナットセグメント８、８、８間の前記ナット本体７の傾斜孔６の前記段差５、５Ａ、５Ｂの端部位置の内壁面で軸心方向に形成されたガイド片１０、１０、１０と、前記ナットセグメント８、８、８の押圧突片１１、１１、１１上に配置されたワッシャー２６と、このワッシャー２６、前記ナットセグメント８、８、８の押圧突片１１、１１、１１を介して、該ナットセグメント８、８、８を常時小径側へ付勢するように、前記ナット本体７内に取付けられたコイルスプリングを用いた付勢スプリング１２と、この付勢スプリング１２を前記ナット本体７内に保持するボルト挿入孔１３が形成された、該ナット本体７の端部をカシメ１４で外部へ脱落するのを阻止されたワッシャー状のストッパー片１５と、前記ナット本体７の小径側の端部に形成されたリング状の座金挿入片１６と、この座金挿入片１６が挿入され、先端部をカシメ１７で回転可能に取付けられたビス挿入孔１８、１８を有する座金１９とで構成されている。
【００１２】
上記構成の押し込みナット１はナット本体７の傾斜孔６内にナットセグメント８、８、８が設置し、ワッシャー２６を介して付勢スプリング１２の付勢力でナットセグメント８、８、８の押圧突片１１、１１、１１を押圧してナットセグメント８、８、８の小径側の端部８ａ、８ａ、８ａが段差５、５Ａ、５Ｂに押し込んだ状態にセットすることにより、ナットセグメント８、８、８の右ねじ部９、９、９がボルト２の右ねじ部３と連続状態で螺合するように段差部５、５Ａ、５Ｂで自動的に配置される。
【００１３】
このように組み立てられた押し込みナット１は、図８に示すように接続する締付け部材である木材２０、２０に形成されたボルト挿入孔２１、２１に頭部２ａにビス挿入孔１８、１８有する座金２２を溶接等で固定したボルト２を挿入し、該座金２２のビス挿入孔１８、１８にビス２３、２３を挿入して木材２０に打ち込み、座金２２を木材２０に固定した後、ボルト挿入孔２１より突出したボルト２の先端部に押し込みナット１を押し込み、図９に示すように座金１９のビス挿入孔１８、１８にビス２３、２３を挿入して木材２０に打ち込み、座金１９を木材２０に固定する。
【００１４】
この時、ナット本体７内のナットセグメント８、８、８はボルト２の右ねじ部３によって、付勢スプリング１２の付勢力に抗して後方へ押し込まれ、拡開してスムーズにボルト２が通過するとともに、押し込みナット１の押し込みが停止すると、付勢スプリング１２の付勢力がワッシャー２６、ナットセグメント８、８、８の押圧突片１１、１１、１１を介してナットセグメント８、８、８を小径側の端部８ａ、８ａ、８ａ方向に付勢されることにより、ボルト２の右ねじ部３とナットセグメント８、８、８の右ねじ部９、９、９が螺合される位置に確実に押し戻される。
【００１５】
この状態で、図１０に示すようにナット本体７を締付け方向に回転させると、図１１に示すように付勢スプリング１２の付勢力でナットセグメント８、８、８をそれぞれ小径側の端部８ａ、８ａ、８ａ方向に確実に付勢し、ボルト２の右ねじ部３とナットセグメント８、８、８の右ねじ部９、９、９とが連続するように螺合し、締付け固定することができる。
【００１６】
締付け固定中に締付け部材である木材２０、２０が収縮した場合、座金１９を介してナット本体７が収縮方向に移動するため、付勢スプリング１２の付勢力がワッシャー２６を介してナットセグメント８、８、８の押圧突片１１、１１、１１に伝わり、ナットセグメント８、８、８を確実に、締付け方向に移動させて、自動的に増し締めすることができる。  
【００１７】
[発明を実施するための異なる形態]
次に、図１２ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図１２ないし図１４に示す本発明を実施するための第２の形態において、前記本発明を実施するための第１の形態と主に異なる点は、ナット本体７の傾斜孔６内に収納した状態で、上端部がほぼ同一面となるナットセグメント８、８Ａ、８Ｂおよび、該ナットセグメント８、８Ａ、８Ｂの遊びが小さくなるクサビ状に形成したガイド片１０Ａ、１０Ａ、１０Ａを用いた点で、このように形成されたナットセグメント８、８Ａ、８Ｂを用いて構成した押し込みナット１Ａにしても前記本発明を実施するための第１の形態と同様な作用効果が得られるとともに付勢スプリング１２の付勢力を均等にナットセグメント８、８Ａ、８Ｂに伝えることができる。
【００１９】
図１５ないし図１７に示す本発明を実施するための第３の形態において、前記本発明を実施するための第１の形態と主に異なる点は、ナット本体７の小径側の外周部にリング状の溝２４を形成するとともに、このナット本体７のリング状の溝２４と対向する部位で係合する逆Ｌ字状の係合片２５、２５が形成された座金１９Ａとを用いた点で、このように形成されたリング状の溝２４を形成したナット本体７や座金１９Ａを用いて構成した押し込みナット１Ｂにしても、前記本発明を実施するための第１の形態と同様な作用効果が得られる。
【００２０】
図１８ないし図２０に示す本発明を実施するための第４の形態において、前記本発明を実施するための第１の形態と主に異なる点は、ナット本体７の傾斜孔６の小径端部に２個の段差５、５Ａを形成し、該２個の段差５、５Ａに下端部が当接するとともに、大径側の端部８ｂ、８ｂの中央部に上面が同一面となる高さの異なる押圧突片１１、１１Ａを形成し、ナット本体７と一体になって回転する２個のナットセグメント８Ｃ、８Ｄを用いた点で、このように２個のナットセグメント８Ｃ、８Ｄを用いて構成した押し込みナット１Ｃにしても、前記本発明を実施するための第１の形態と同様な作用効果が得られる。
【００２１】
なお、ストッパー片を特開２０１２−４７２４４号のように筒状に形成して、ナット本体７を覆うように嵌合固定させたり、接着剤や溶接によりナット本体７に固定してもよい。
【００２２】
また、右ねじ部３を形成したボルト２に使用するものについて説明したが、本発明はこれに限らず、左ねじ部を形成したボルトにも使用できるように、該ボルトの左ねじ部と螺合する左ねじ部が形成されたナットセグメントを用いて構成してもよい。
【００２３】
なお、前記本発明の実施の形態ではナット本体を一体形成したものについて説明したが、本発明はこれに限らず、特開２０１２―４７２４４号公報に開示されている内径が順次小径寸法となり、かつ小径端部が２個以上の段差を形成した内筒部材と、外壁が多角形状に形成された外筒部材とで構成したものであっても同様な作用効果が得られる。
【００２４】
また、前記本発明の実施の形態では各部品の材質について特定していないが、ナットとして使用できる材質、例えば鉄材、各種合金材、合成樹脂材、炭素繊維材等を選択的に使用する。
【産業上の利用可能性】
【００２５】
本発明はボルトを所定位置まで挿入した後、締付け方向に回転させることによりボルトのねじ部と螺合する押し込みナットを製造する産業で利用される。
【符号の説明】
【００２６】
１、１Ａ、１Ｂ、１Ｃ：押し込みナット、
２：ボルト、        ３：ねじ部、
４：外壁、          ５、５Ａ、５Ｂ：段差、  
６：傾斜孔、        ７：ナット本体、
８：ナットセグメント、    ９：ねじ部、
１０、１０Ａ：ガイド片、    １１、１１Ａ：突片、
１２、１２Ａ：付勢スプリング、１３：ボルト挿入孔、
１４：カシメ、      １５：ストッパー片、
１６：座金挿入片、      １７：カシメ、
１８：ビス挿入孔、      １９、１９Ａ：座金、
２０：木材、        ２１：ボルト挿入孔、
２２：座金、        ２３：ビス、
２４：リング状の溝、    ２５：係合片、
２６：ワッシャー。
【図１】
0005912829.tif 000002
【図２】
0005912829.tif 000003
【図３】
0005912829.tif 000004
【図４】
0005912829.tif 000005
【図５】
0005912829.tif 000006
【図６】
0005912829.tif 000007
【図７】
0005912829.tif 000008
【図８】
0005912829.tif 000009
【図９】
0005912829.tif 000010
【図１０】
0005912829.tif 000011
【図１１】
0005912829.tif 000012
【図１２】
0005912829.tif 000013
【図１３】
0005912829.tif 000014
【図１４】
0005912829.tif 000015
【図１５】
0005912829.tif 000016
【図１６】
0005912829.tif 000017
【図１７】
0005912829.tif 000018
【図１８】
0005912829.tif 000019
【図１９】
0005912829.tif 000020
【図２０】
0005912829.tif 000021